(57)【特許請求の範囲】
【請求項１】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、前記感光性記録媒体に関するディスク情報を記録できるＲＦＩＤ（Radio Frequency Identification）と、を備えた感光性記録媒体用カートリッジを内部に収納して前記感光性記録媒体の記録再生を行う記録再生装置において、
前記感光性記録媒体の各記録場所毎にデータを記録する際に、その記録場所を示すアドレス番号を、その記録場所へのデータの記録開始時に前記ＲＦＩＤの第１書き込み場所に書き込むとともに、その記録場所へのデータの記録完了時に前記ＲＦＩＤの第２書き込み場所に書き込む書き込み手段と、
記録再生装置の起動時に、前記ＲＦＩＤの第１書き込み場所の内容と、前記ＲＦＩＤの第２書き込み場所の内容とを比較する読み出し手段と、
を備えたことを特徴とする感光性記録媒体用記録再生装置。
【請求項２】
前記書き込み手段は、前記感光性記録媒体の各記録場所毎にデータを記録する際に、その記録場所へのデータの記録が完了して、その記録場所を示すアドレス番号が前記第２書き込み場所に書き込まれた後に、前記第１書き込み場所に書き込まれているアドレス番号と前記第２書き込み場所に書き込まれているアドレス番号とが一致するとき、その一致するアドレス番号を前記ＲＦＩＤの第３書き込み場所へ書き込むことを特徴とする請求項１記載の感光性記録媒体用記録再生装置。
【請求項３】
前記読み出し手段は、記録再生装置の起動時に、前記第１書き込み場所の内容と、前記第２書き込み場所の内容とを比較した結果、両者が不一致のとき、前記第３書き込み場所に書き込まれているアドレス番号を基にバックアップルーチンを稼働させることを特徴とする請求項２記載の感光性記録媒体用記録再生装置。
【請求項４】
前記バックアップルーチンは、前記第３書き込み場所に書き込まれているアドレス番号が示す記録場所から後の記録場所を再生してどこまで正しく記録されているかを調べ、記録不良の部分から後を追記して前記後の記録場所におけるデータの記録を完了させるものであることを特徴とする請求項３記載の感光性記録媒体用記録再生装置。
【請求項５】
前記バックアップルーチンは、記録不良の部分から後を追記して前記後の記録場所におけるデータの記録を完了させることが困難な場合に、前記第１書き込み場所に書き込まれているアドレス番号を１つ進めたアドレス番号が示す前記感光性記録媒体の新たな記録場所に記録させることを特徴とする請求項４記載の感光性記録媒体用記録再生装置。
【請求項６】
バックアップ電源を備え、
前記書き込み手段が前記ＲＦＩＤ内の第１書き込み場所にアドレス番号を書き込んでいる最中に、又は、前記第２書き込み場所にアドレス番号を書き込んでいる最中にプロセスが停止したときは、前記バックアップ電源を用いて当該書き込みを続行し完了させることを特徴とする請求項１〜５のいずれか１項記載の感光性記録媒体用記録再生装置。
【請求項７】
請求項１〜６のいずれか１項記載の感光性記録媒体用記録再生装置で使用されることのできるＲＦＩＤを内蔵したことを特徴とするディスク状のホログラム記録媒体カートリッジ。
【発明の詳細な説明】
【技術分野】
【０００１】
本発明は、データをホログラムによって記録するホログラム記録媒体、すなわち、感光性記録媒体用記録再生装置に関する。
【背景技術】
【０００２】
データをホログラムによって記録するホログラム記録媒体が発明されている。
ホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われ、そのカートリッジは、カートリッジ本体とシャッタ部材とシャッタカバーとを備えて構成されたものが知られている（特許文献１参照）。
【特許文献１】特開２００３−３１７４２２号公報
【０００３】
このカートリッジを記録再生装置に挿入してから記録再生装置が記録を開始するまでの従来装置の流れを図７を用いて説明する。なお、カートリッジ、記録再生装置、シャッタ開放機構等の構造については、後述する。
カートリッジの先端を記録再生装置の挿入口の蓋に押し当てて、軽く押すと（ステップＳ２１）、蓋が開き（このとき、外部光が装置内に侵入するので、カートリッジのシャッターは閉じたまま。）、カートリッジを記録再生装置の内部に引き入れる（Ｓ２２）。本発明が対象とする媒体は感光性であるため、シャッタはまだ開かない。カートリッジが記録再生装置の内部に完全に引き入れられると（Ｓ２３）、挿入口の蓋が閉まり（Ｓ２４）、装置内部は暗室となる。カートリッジが記録再生装置の内の所定の位置（記録・再生位置）に到着すると（Ｓ２５）、カートリッジのシャッタがシャッタ開放機構により開放される（Ｓ２６）。
【０００４】
シャッタが開放されたら、カートリッジが装置内で水平状態を保ったまま降下し（Ｓ２７）、カートリッジの開口からカートリッジ内にアクセスしてきた装置下部にあるスピンドルモータのチャックが感光性記録媒体の中央部をチャッキングする（Ｓ２８）。この場合、逆でもよい。すなわち、カートリッジはそのまま装置内で固定され、装置下部にあるスピンドルモータのチャックが上昇してカートリッジ２の開口から記録ディスクに接近し、その中央部をチャッキングする（Ｓ２８）。これにより、記録ディスクはスピンドルモータにより回転可能となる。
そこで、スピンドルモータが回転し、記録ディスクを回転させる（Ｓ２９）、ピックアップがディスク情報を読む位置に移動する（Ｓ３０）。移動完了したら、レーザビームのフォーカスを行ない（Ｓ３１）、トラッキングを行う（Ｓ３２）。
そして、回転待ちして、ディスク情報を読み始め（Ｓ３３）、そして、ディスク情報を得たら（Ｓ３４）、その読み出したディスク情報を基に記録する位置にピックアップを移動させ（Ｓ３５）、記録が開始される（Ｓ３７）。
【０００５】
ところで、Ｓ３３の読み出し開始からＳ３４の読み出し終了までは、ホログラム記録媒体はライトワンス記録媒体（ライトワンス ：Write Once Read Many times）であるので、かなりの時間を必要とした。すなわち、常に同じ位置にディスク情報を書き込んでいる他の記録媒体では所定情報を読み出すのに時間はかからないが、これと異なるライトワンス記録媒体の場合は、ディスク情報（媒体に記録が行われた最終の位置を示すアドレス番号）が記録が追記される毎に逐次その記録エリアに追記されていく方式であるので、書き込みが行われた最終の位置を示すアドレス番号を知るには、最初の書き込み位置からスタートしてその記録エリアを逐次追って最終の書き込み位置まで進み、その次に記録がないことを知って初めて現時点でのアドレス番号が判るからである。したがってディスク情報を得るまでに時間がかかった。
【０００６】
この点の欠点を解決するため、本出願人は、次のような改良発明を先に考えた。
すなわち、ＲＦＩＤ（Radio Frequency Identification）を感光性記録媒体用カートリッジを内部に備えて、感光性記録媒体に関するディスク情報をこのＲＦＩＤに書き込んでおき、ディスク情報（最終の書き込み位置情報）を再生前か、好ましくはチャッキング前、より好ましくはシャッタ開放前にＲＦＩＤから読み出すようにして、感光性記録媒体からは読み出さないようにしている。これによって、最終の書き込み位置情報を得るまでの時間を大幅に短縮でき、書き込みモードに早く移ることができるようになった。
【発明の開示】
【発明が解決しようとする課題】
【０００７】
ところで、これによると、ＲＦＩＤの書き込み内容と実際に記録媒体になされた記録との間に違いが生じることが起こりうることに本出願人は気がついた。
以下、この食い違い現象について説明する。
図８は、考えられる第１の記録方法（公知でないので従来方法とは言わない。）で、いわゆる「事前」書き込み方法である。図において、（イ）〜（ハ）は時間の流れで、Ｒ１はディスク情報（記録媒体に書き込みが行われた最終の位置を示すアドレス番号）を事前に書き込みするアドレス格納メモリで、カートリッジに備え付けのＲＦＩＤの内に設けられている。４はライトワンス記録媒体における記録位置で、Ａ→Ｂ→Ｃ→Ｄ→Ｅの順に記録されていくものとする（そして、実際の記録トラックは幅も長さも短いが、見易くするために拡大表示している。）。
【０００８】
今、記録媒体４の記録位置Ａに既に記録がなされていて、これから記録位置Ｂに記録しようとするケースについて説明する。「事前」書き込み方法によれば、これから記録しようとする記録位置Ｂを示すアドレスをまずアドレス格納メモリＲ１に書き込む。
アドレス格納メモリＲ１に書き込んだ時点（イ）では、記録媒体４の記録位置Ｂには何ら記録が行われていない（すなわち、ＲＦＩＤの書き込み内容と記録媒体になされた記録とは不一致）。
次に、記録開始後ある程度時間が進んだ時点（ロ）では、記録媒体４の記録位置Ｂには途中まで記録が進んでいる（しかしまだ、ＲＦＩＤの書き込み内容Ｂと記録媒体になされた記録（Ｂの途中）とは不一致）。
時点（ハ）で、記録位置Ｂへの記録が完了し、この時点で初めて、ＲＦＩＤの書き込み内容と記録媒体になされた記録とが一致する。
したがって、（イ）と（ロ）の局面で停電事故等が生じたら、ＲＦＩＤの書き込み内容と記録媒体になされた記録とが不一致となり、ところが事故が回復した後、記録位置Ｂには不完全な記録のままであるにもかかわらず、ＲＦＩＤのメモリＲ１ではＢまで書き込み完了していることになっている。したがって、後で、記録位置Ｂへ記録を再生に行っても完全な内容は得ることができない。
【０００９】
図９は、考えられる第２の記録方法（これも公知ではないので従来方法とは言わない。）で、いわゆる「事後」書き込み方法である。図において、（イ）〜（ハ）は時間の流れで、Ｒ２はディスク情報（記録媒体に書き込みが行われた最終の位置を示すアドレス番号）を事後に書き込みするアドレス格納メモリで、カートリッジに備え付けのＲＦＩＤの内に設けられている。４はライトワンス記録媒体における記録位置で、Ａ→Ｂ→Ｃ→Ｄ→Ｅの順に記録されていくものとする（そして、実際の記録トラックは幅も長さも短いが、見易くするために拡大表示している。）。
【００１０】
今、記録媒体４の記録位置Ａに既に記録がなされていて、これから記録位置Ｂに記録しようとするケースについて説明する。「事後」書き込み方法によれば、記録開始時点（イ）では、アドレス格納メモリＲ２には記録媒体に書き込みが行われた最終の位置を示すアドレス番号Ａが書き込まれている。
次に、記録開始後ある程度時間が進んだ時点（ロ）では、記録媒体４の記録位置Ｂには途中まで記録が進んでいる（しかしまだ、ＲＦＩＤの書き込み内容Ａと記録媒体になされた記録（Ｂの途中）とは不一致）。
時点（ハ）で、記録位置Ｂへの記録が完了し、アドレス格納メモリＲ１にＢのアドレスを書き込む。この時点でようやく、ＲＦＩＤの書き込み内容Ｂと記録媒体になされた記録Ｂとが一致する。
したがって、（ロ）の局面で停電事故等が生じたら、ＲＦＩＤの書き込み内容と記録媒体になされた記録とが不一致となり、事故が回復した後、ＲＦＩＤのメモリＲ１ではＡまでしか書き込み完了していないことになっているが、実際は記録位置Ｂの途中まで記録が成されており、次回の記録時には記録位置Ｂから記録開始されることになるので、二重記録の問題が生じる。
【００１１】
このように、考えられる第１および第２の両記録方法によると記録中における停電の際はいずれも不完全な記録のままとなっており、しかもその不完全さに気がつかないという欠点があった。
【００１２】
本発明は、これらの欠点を解決するためになされたもので、記録中に停電等が生じてもＲＦＩＤの書き込み内容と実際に記録媒体になされた記録との間に違いが生じないような対策を講じると共に、万一違いが生じた場合はこれを見つけ出し、修正できる記録再生装置を提供することを目的とする。
【課題を解決するための手段】
【００１３】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、前記感光性記録媒体に関するディスク情報を記録できるＲＦＩＤ（Radio Frequency Identification）と、を備えた感光性記録媒体用カートリッジを内部に収納して前記感光性記録媒体の記録再生を行う記録再生装置において、前記感光性記録媒体の各記録場所毎にデータを記録する際に、その記録場所を示すアドレス番号を、その記録場所へのデータの記録開始時に前記ＲＦＩＤの第１書き込み場所に書き込むとともに、その記録場所へのデータの記録完了時に前記ＲＦＩＤの第２書き込み場所に書き込む書き込み手段と、記録再生装置の起動時に、前記ＲＦＩＤの第１書き込み場所の内容と、前記ＲＦＩＤの第２書き込み場所の内容とを比較する読み出し手段と、を備えたことを特徴としている。
【００１４】
請求項２記載の発明は、請求項１記載の感光性記録媒体用記録再生装置において、前記書き込み手段が、前記感光性記録媒体の各記録場所毎にデータを記録する際に、その記録場所へのデータの記録が完了して、その記録場所を示すアドレス番号が前記第２書き込み場所に書き込まれた後に、前記第１書き込み場所に書き込まれているアドレス番号と前記第２書き込み場所に書き込まれているアドレス番号とが一致するとき、その一致するアドレス番号を前記ＲＦＩＤの第３書き込み場所へ書き込むことを特徴としている。
【００１５】
請求項３記載の発明は、請求項２記載の感光性記録媒体用記録再生装置において、前記読み出し手段が、記録再生装置の起動時に、前記第１書き込み場所の内容と、前記第２書き込み場所の内容とを比較した結果、両者が不一致のとき、前記第３書き込み場所に書き込まれているアドレス番号を基にバックアップルーチンを稼働させることを特徴としている。
【００１６】
請求項４記載の発明は、請求項３記載の感光性記録媒体用記録再生装置において、前記バックアップルーチンが、前記第３書き込み場所に書き込まれているアドレス番号が示す記録場所から後の記録場所を再生してどこまで正しく記録されているかを調べ、記録不良の部分から後を追記して前記後の記録場所におけるデータの記録を完了させるものであることを特徴としている。
【００１７】
請求項５記載の発明は、請求項４記載の感光性記録媒体用記録再生装置において、前記バックアップルーチンが、記録不良の部分から後を追記して前記後の記録場所におけるデータの記録を完了させることが困難な場合に、前記第１書き込み場所に書き込まれているアドレス番号を１つ進めたアドレス番号が示す前記感光性記録媒体の新たな記録場所に記録させることを特徴としている。
【００１８】
請求項６記載の発明は、請求項１〜５のいずれか１項記載の感光性記録媒体用記録再生装置において、バックアップ電源を備え、前記書き込み手段が前記第１書き込み場所に記録場所のアドレス番号を書き込んでいる最中に、又は、前記第２書き込み場所に記録場所のアドレス番号を書き込んでいる最中に、プロセスが停止したときは、前記バックアップ電源を用いて当該書き込みを続行し完了させることを特徴としている。
【００１９】
請求項７記載の発明は、ディスク状のホログラム記録媒体カートリッジに係り、請求項１〜６のいずれか１項記載の感光性記録媒体用記録再生装置で使用されることのできるＲＦＩＤを内蔵したことを特徴としている。
【発明の効果】
【００２０】
請求項１記載の発明によれば、ＲＦＩＤ内に、感光性記録媒体への記録前にこれから記録する記録場所のアドレスを書き込む第１書き込み場所と、感光性記録媒体への記録完了後にその記録した記録場所のアドレスを書き込む第２書き込み場所と、をそれぞれ設けたので、両者の内容を比較することが可能となり、比較結果が一致していれば記録が完全になされたことが判る。
【００２１】
請求項２記載の発明によれば、前回記録された記録場所のアドレスを書き込む第３書き込み場所をＲＦＩＤ内に設けたので、第１書き込み場所のアドレス番号と第２書き込み場所のアドレス番号とが一致したら、記録が完全になされたことになるので、そのアドレス番号を第３書き込み場所へ書き込むことで、次の書き込みに備えることができる。
【００２２】
請求項３記載の発明によれば、第１書き込み場所のアドレス番号と第２書き込み場所のアドレス番号とが不一致のとき、第３書き込み場所のアドレス番号を基にバックアップルーチンを稼働させるので、不一致を解消することができる。
【００２３】
請求項４記載の発明によれば、バックアップルーチンが、第３書き込み場所のアドレス番号の場所から後の場所を再生してどこまで正しく記録されているかを調べ、記録不良の部分から後を追完させるものであるので、不一致を簡単に解消することができる。
【００２４】
請求項５記載の発明によでば、その追完が困難な場合は、第１書き込み場所のアドレスを１つ進めて、記録媒体の新たな記録場所に記録させるので、二重記録等の問題が解消する。
【００２５】
請求項６記載の発明によれば、請求項１〜５のいずれか１項記載の感光性記録媒体用記録再生装置にバックアップ電源を備えたので、ＲＦＩＤ内の書き込み場所に書き込んでいる短時間の作業を続行させることができる。
【００２６】
請求項７記載の発明によれば、ディスク状のホログラム記録媒体カートリッジにＲＦＩＤを内蔵したので、請求項１〜６のいずれか１項記載の感光性記録媒体用記録再生装置で使用することが可能となる。
【発明を実施するための最良の形態】
【００２７】
以下、本発明の実施形態を図１に基づいて説明する。
図において、（イ）〜（ハ）は時間の流れで、Ｒ１は記録媒体に書き込みを行う前にこれから書き込みを行なう位置のアドレス番号を事前に書き込みするアドレス格納メモリ（第１メモリ）、Ｒ２は記録媒体に書き込みが行われた最終の位置を示すアドレス番号を書き込み完了後に書き込みするアドレス格納メモリ（第１メモリ）で、Ｒ３は前回記録された記録場所のアドレスを書き込むアドレス格納メモリ（第３メモリ）で、いずれもカートリッジに備え付けのＲＦＩＤの内に設けられている。４はライトワンス記録媒体における記録位置で、Ａ→Ｂ→Ｃ→Ｄ→Ｅの順に記録されていくものとする（そして、実際の記録トラックは幅も長さも短いが、見易くするために拡大表示している。）。
【００２８】
今、記録媒体４の記録位置Ａに既に記録がなされていて、これから記録位置Ｂに記録しようとするケースについて説明する。
まず、記録開始時（時点イ）では、アドレス格納メモリＲ１にはこれから記録しようとする記録位置Ｂを示すアドレスを書き込み、アドレス格納メモリＲ２には、記録が完了していないので例えば「未」を書き込んでおく。また、アドレス格納メモリＲ３には、既に記録がなされている記録位置Ａを書き込んでおく。
【００２９】
次に、記録開始後ある程度時間が進んだ時点（ロ）では、記録媒体４の記録位置Ｂには途中まで記録が進んでいる。このとき、アドレス格納メモリＲ１は「Ｂ」、アドレス格納メモリＲ２は「未」、アドレス格納メモリＲ３は「Ａ」のままである。
時点（ハ）で、記録位置Ｂへの記録が完了し、この時点で初めて、アドレス格納メモリＲ２には「Ｂ」が記入される。このとき、アドレス格納メモリＲ３は「Ａ」のままである。
時点（ニ）で、アドレス格納メモリＲ１の「Ｂ」とアドレス格納メモリＲ２の「Ｂ」とを比較し、両者が一致していると、アドレス格納メモリＲ３に「Ｂ」お書き込み、アドレス格納メモリＲ１の内容とアドレス格納メモリＲ２の内容とをクリアする。
【００３０】
そこで、アドレス格納メモリＲ１のアドレス番号とアドレス格納メモリＲ２のアドレス番号とが不一致のときは、アドレス格納メモリＲ３のアドレス番号を基にバックアップルーチンを稼働させ、アドレス格納メモリＲ３のアドレス番号の場所（今の場合，Ａ）から後の場所（記録位置Ｂ）を再生してどこまで正しく記録されているかを調べ、記録不良の部分から後を追記し、後の場所（記録位置Ｂ）におけるデータの記録を完了させるようにする。
これは記録位置Ｂのうちの最初のステップの記録位置に書き込むべき記録内容と同じくその最初の記録位置に記録された内容とを読み出して、両者を比較して、同じかどうか突き合わせ、同じであったら次の第２ステップへ進み、以下、これを繰り返すことで記録不良の部分を突きとめることができる。
【００３１】
この場合、記録位置に記録された内容を読み出すことができないときは、追完が困難として、書き込み場所のアドレスを１つ進めて、記録媒体の新たな記録場所（今の場合、書き込み場所Ｃ）に記録させるようにするとよい。
【００３２】
また、バックアップ電源を備えておいて、ＲＦＩＤ内のアドレス格納メモリＲ１にアドレス番号を書き込んでいる最中や、アドレス格納メモリＲ２にアドレス番号を書き込んでいる最中に停電等でプロセスが停止したときは、バックアップ電源を用いてその書き込みを続行させて、完了させてしまうのが好ましい。アドレス格納メモリけのアドレス番号の書き込み程度では、電力をそれほど消費しないし、記録が何も行われていない（前者）か、記録が完了してしまっている（後者）ので、アドレス格納メモリＲ３のアドレス番号を基にバックアップルーチンを稼働させる方が逆に非効率的だからである。
【００３３】
以上のように、本発明によれば、記録中に停電等が生じてもＲＦＩＤの書き込み内容と実際に記録媒体になされた記録との間に違いが生じないよう、バックアップ電源を備えて記録作業を続行させたり、万一違いが生じた場合はこれを見つけ出し、修正できるようにするので、信頼のおけるまた書き込みモードに早く移ることのできるホログラム記録媒体用記録再生装置が得られる。
【００３４】
図２は、ＰＦＩＣと感光性記録媒体を内蔵し遮光性対策を講じたカートリッジの構成を示す分解斜視図である。
【００３５】
〈カートリッジの説明〉
図において、カートリッジ本体は、略板状の第１シェル２５と、この第１シェル２５に接合される第２シェル２６と、第１シェル２５と第２シェル２６との間に組み込まれてシャッタ１３のロックを行なうロック機構２７とから構成されている。
第１シェル２５および第２シェル２６の内側には、記録ディスク４の中心部４ａと記録面４ｂとを外部に露呈させる内部開口１８と内部開口１９がそれぞれ設けられている。第１シェル２５と第２シェル２６の間にディスクを４を置いて互いに重ね合わせて超音波シールすることで、ラビリンス状の遮光構造のディスクカートリッジ本体が得られる。
第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００３６】
〈遮光板の説明〉
図２に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３７】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００３８】
遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。遮光板１２がカートリッジ本体１１の外側に取り付けられると、第１シェル２５及び第２シェル２６のピン５０が穴４９に挿入され、遮光板１２の表面から突出される。
【００３９】
〈シャッタの説明〉
シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４０】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。
【００４１】
シャッタ１３は、シャッタバネにより閉じ方向に付勢されている。シャッタバネは、例えば、捩じりコイルバネからなり、その両端は、スライド部材５６と、第１シェル２５の内面とに係止されている。
【００４２】
〈スライドの説明〉
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。
【００４３】
スライド部材５６の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている。スライド部材５６には、被操作部５６ｄに隣接して矩形孔形状の被ロック溝５６ｅが形成されている。
【００４４】
〈本発明によりＲＦＩＤを内蔵〉
本発明によりカートリッジ本体の内部にＲＦＩＤ（Radio Frequency Identification）を備え付けている。符号８１がＲＦＩＤで、このＲＦＩＤ８１には、第２シェル２６の内側の面に突出された支持リブ８２に取り付けられている。
このＲＦＩＤに、諸データを記憶させ、電波でＲＦＩＤ記録再生装置（後述）と交信することで、アンテナ側からの非接触電力伝送技術により、電池を持たない半永久的に利用可能となり、記録再生装置の内部の遮光された暗室内でも読み取り及び書き込みが可能である。
【００４５】
〈ＲＦＩＤの構成〉
図３はＲＦＩＤの内部構造とその通信相手である記録再生装置の内部構造を説明するための概念斜視図（ａ）とブロック図（ｂ）を示している。
図に示すように、ＲＦＩＤ８１はＲＦ（無線周波数）回路２０１と変調回路２０２と復調回路２０３と電源回路２０４とＣＰＵ２０５とこれに接続された光ディスク４の固有情報を記憶するメモリ２０６を有する。
電源回路２０４は図示しないコンデンサを内蔵しており、このコンデンサはコイル２１０とともに共振回路を形成する。コンデンサにはコイル２１０が特定の共振周波数の電波を受信したときにその電磁誘導で生じる電力が充電される。
電源回路２０４はこの電力を整流し安定化してＣＰＵ２０５に供給し、ＲＦＩＤ８１を活性化する。メモリ２０６はＲＯＭ、ＲＡＭ、及びＥＥＰＲＯＭを含み、ＣＰＵ２０５の制御の下で電波のデータ通信による読出しコマンドに応じて記憶されたデータの読出しを行うとともに、記録再生装置からの書込みコマンドに応じてデータの書込みが行われる。
【００４６】
〈ＲＦＩＤ記録再生装置の構成〉
ＲＦＩＤ８１からデータの読出しを行うＲＦＩＤ記録再生装置１００にはアンテナ１１０が接続され、その内部には、バッテリを内蔵する電源回路１０４とＲＦ（無線周波数）回路１０１と変調回路１０２と復調回路１０３と、ＣＰＵ１０５と、メモリ１０６と、ディスプレー１０７と、入力装置１０８とを備えている。
【００４７】
このＲＦＩＤ記録再生装置１００は、アンテナ１１０を介して光ディスク４のコイル２１０に特定周波数の電波を送信してＲＦＩＤ８１を活性化し、かつそのＲＦＩＤ８１のメモリ２０６に対してデータの再生を行い、またその再生情報をコイル２１０からアンテナ１１０を介して受信して、光ディスク４を識別して、その光ディスク４の持つ記録情報をメモリ１０６をから読み出し、ディスプレー１０７に表示させる。
ＲＦＩＤ８１のメモリ２０６には、本発明により記録媒体４のディスク情報（書き込みが行われた最終の位置を示すアドレス番号）を記録させているのが特徴である。その他の情報（例えば、その記録データのタイトル、種別、内容、記憶時間等）も記録することができる。
【００４８】
〈感光性記録媒体用記録再生装置の構成〉
図４はこのホログラム記録媒体を内部に収納して記録再生を行う記録再生装置の１例を示す斜視図、図５はその記録再生装置の内部構成を示す概略図である。
図４および図５に示すように、カートリッジ２を装填して使用される記録再生装置１０は、カートリッジ２を挿入可能な挿入口９１が形成され、外部から遮光された内部空間９２を有する筐体９０を備える。挿入口９１は、ピン９３を中心として回動自在に筐体９０の内部に配設された挿入口シャッタ９４により開閉される。挿入口シャッタ９４は、捩じりコイルばね９６の一端が係止されて挿入口シャッタ９４を閉じる方向に付勢している。挿入口９１には、その開口全周に亘って遮光部材９５が固着されており、挿入口シャッタ９４が閉じられたとき挿入口シャッタ９４と協働して挿入口９１を外部から遮光する。
【００４９】
筐体９０内には、ロック解除機構７８およびシャッタ開放機構８０が組み込まれている。
【００５０】
〈ロック解除機構の説明〉
ロック解除機構７８は、第２のロック部材６４に係合して作動させる第２の解除部材である１対の位置決め部材７７ａ,７７ｂと、第１のロック部材６３に係合して作動させる第１の解除部材である一対の係合ピン７９ａ、７９ｂとからなる。
１対の位置決め部材７７ａ,７７ｂは、挿入口９１から矢印Ｃ方向に挿入されたカートリッジ２の両側面の位置決め溝７,８に係合するように挿入口９１に向かって突出して筐体９０に固定されている。１対の位置決め部材７７ａ,７７ｂは、それぞれ位置決め溝７,８に係合してカートリッジ２の挿入方向、及びこの挿入方向に直交する方向でカートリッジ２を位置決めする。
【００５１】
一対の係合ピン７９ａ、７９ｂは、筐体９０に固定された一対のアーム７９Ａ，７９Ｂから下方に向かって突出して配設されており、挿入されるカートリッジ２の開口７２、７３から第１のロック部材６３の操作穴６３ｄに挿入される。記録ディスク４は両面への記録が可能であるため、カートリッジ２は、Ａ面２ａまたはＢ面２ｂのいずれもが上方に向けられて記録再生装置１０にセットされるが、装填面が異なると、ロック機構２７の位置が左右で反転する。そのため、カートリッジ２が反転して装填された場合でも操作穴６３ｄに係合できるように、反転装填時用の係合ピン７９ｂを備えている。
【００５２】
なお、一対の係合ピン７９ａ、７９ｂは、アーム７９から出没自在に配設され、図示しないバネによって下方に向けて付勢されている。これにより、一方の係合ピンが操作穴６３ｄに係合している際に、他方の係合ピンはカートリッジ２に当接した時にアーム７９内に引っ込み、邪魔になることはない。
【００５３】
〈シャッタ開放機構の説明〉
シャッタ開放機構８０は、スライド部材５６の被操作部５６ｄの外側に当接する一対の操作片８１ａ，８１ｂと、両端側に右ねじ８２ａおよび左ねじ８２ｂがそれぞれ形成されたリードねじ８２を備える。リードねじ８２の右ねじ８２ａには操作片８１ａが螺合し、左ねじ８２ｂには操作片８１ｂが螺合している。リードねじ８２の一端には、駆動モータ８３の回転軸が固定されてリードねじ８２を時計方向または反時計方向に回転させるようになっている。
【００５４】
リードねじ８２が反時計方向に回転すると、操作片８１ａ，８１ｂは互いに接近する方向に移動して被操作部５６ｄを押圧し、シャッタ１３を開き位置にスライドさせる。操作片８１ａ，８１ｂを一対設けたのは、カートリッジ２の反転挿入に対応するためである。
【００５５】
〈記録再生装置１０の動作〉
カートリッジ２が挿入口９１から記録再生装置（ホログラム記録装置）１０に装填されると、記録再生装置１０に固定された位置決め部材７７ａ（図４）が位置決め溝７（図４）に挿入され、カートリッジ２を位置決めすると共に、第２のロック部材６４の被押圧片６４ｄをロックバネ６５の付勢に抗して押庄する。第２のロック部材６４は、リンク部６４ｂを中心に時計方向に回動して、回動部６４ｃの底面が規制片７０から離れるため、第１のロック部材６３の下方へのスライドが可能となる。
【００５６】
カートリッジ２が更に矢印Ｃ方向に挿入されて第１のロック部材６３の操作穴が装置内に固定されたロック解除機構７８の係合ピン７９ａの位置に達すると、アーム７９内に組み込まれたバネの作用により係合ピン７９ａが第１のロック部材６３の操作穴６３ｄに挿入される。そして引き続くカートリッジ２の挿入により、第１のロック部材６３が移動されてロック爪６３ａを被ロック溝５６ｅから抜き去り、係合を解除する。これにより、カートリッジ２のロック機構２７が解除されてシャッタ１３が開閉可能となる。
【００５７】
〈装置内に光が漏入しているとシャッタを開かないシステム〉
筐体９０（図５）の内部には、筐体９０内の明るさを検出する照度センサ９８と、挿入口９１から挿入されるカートリッジ２の先端を検出してカートリッジ２が所定の位置まで正常に挿入されたことを検出するカートリッジセンサ９９とが配設されている。
【００５８】
図６のフローチャートが示すように、カートリッジ２が所定の位置に達すると、カートリッジセンサ９９がカートリッジ２の先端を検出してＯＮとなり、カートリッジ２が所定の位置まで正常に挿入されたことを検出する（Ｓ１）。このとき、カートリッジ２のロック機構２７が既に解除されてシャッタ１３が開閉可能となっている。しかし、シャッタ開放機構８０の操作片８１ａは、スライド部材５６の被操作部５６ｄの外側に配置されていて、まだ動作開始しない。
【００５９】
次いで、照度センサ９８が筐体９０内の明るさを検出し、所定の照度以下であると筐体９０が遮光されていると判断し（Ｓ２）、駆動モータ８３を回転させてリードねじ８２を反時計方向に回転させる（Ｓ３）。これにより、リードねじ８２の右ねじ８２ａおよび左ねじ８２ｂに螺合する操作片８１ａ，８１ｂは互いに接近する方向に移動して被操作部５６ｄを押圧し、シャッタ１３を移動させて開く。そして、記録ディスク４を回転させながら図示しないヘッドによりデータを記録し、または記録されたデータを再生する。
一方、照度センサ９８で検出した照度が所定の照度以上であると（Ｓ２）、記録ディスク４を感光させるおそれがあるので、シャッタ１３を開くことなく表示装置（図示せず）に警告を表示したり、カートリッジ２を記録再生装置１０から排出するなどして使用者の注意を喚起する（Ｓ４）。
【００６０】
このように、ロック機構２７は、第２のロック部材６４を回動させ、更に第１のロック部材６３をスライドさせなければ解除されないため、シャッタ１３が不用意に開放されるのを効果的に防止することができる。
また、ロック機構２７は、カートリッジ２を記録再生装置１０に挿入することにより自動的にロック解除され、更に記録再生装置１０が遮光された後にシャッタ１３が開くので記録ディスク４の感光を確実に防止することができる。
以上、カートリッジ２を記録再生装置１０に挿入してからロック解除して、記録再生装置１０の遮光後にシャッタ１３を開くまでの動作メカニズムを説明した。
【００６１】
なお、このＲＦＩＤに書き込む情報に関して、上記の情報を含めて次のような情報を書き込んでおくと、さらに、便利である。
（１）ＲＦＩＤにアドレス情報を書き込んでおく。
このアドレス情報を基に、次回記録する場所を探すことが出来るので、迅速に探すことができるようになる。すなわち、ホログラム記録媒体はライトワンス記録媒体であるので、ホログラム記録媒体の中にディスク情報（次回記録する記録場所のアドレス情報）を書き込む従来の方式では、更新されたディスク情報を記録更新毎に同じ位置に記録することができず、前回のディスク情報を記録していた場所の隣の場所に更新のディスク情報を追記していくので、次回記録する場所のアドレス番号を知るには、ディスク情報の最初の書き込み場所からスタートしてその記録エリアを逐次追って最終の書き込み場所まで進み、その次に記録がないことを知って初めて現時点で記録されている場所のアドレス番号が判る（したがって、次回記録すべき場所がこれから判る）から、最新のディスク情報を得るまでには相当長い時間がかかった。そこで、ＲＦＩＤには常に同じ場所に最新のディスク情報を書き込むことができるので、上記欠点が解決できる。
【００６２】
（２）ＲＦＩＤの記録内容を記録媒体にも記録させておく。
ＲＦＩＤは使い易い反面、破損の恐れも考えられるので、ＲＦＩＤに書き込んだ内容を逆に記録媒体にも書き込んでおき、できれば改竄されないように、定着させて、バックアップとして永久保存するのが好ましい。
【００６３】
（３）ＲＦＩＤの上記（１）のアドレス情報と記録媒体の記録が不一致とならないようにさせておく。ＲＦＩＤにアドレス情報を書き込むタイミングと記録媒体のそのアドレスに記録がなされるタイミングとは常に一致しているわけではなく（もちろん一致させるのが望ましいが、現実には困難）、いずれかが先に行われ、次いでもう一方が行われることになる。その場合、先に行われた時点と次いでもう一方が記録完了する時点との間に停電等の不慮の事故が発生して記録プロセスが停止してしまった場合、ＲＦＩＤのアドレス情報と記録媒体の記録が不一致となってしまう。これを回避するために、ＲＦＩＤには、記録媒体に記録開始するアドレスを書き込む開始アドレス格納場所と記録完了したアドレスを書き込む完了アドレス格納場所とを設けておき、両方の格納場所のアドレスが一致したときにＲＦＩＤの上記（１）のアドレス情報と記録媒体の記録が一致していると判る。両方が一致しない場合は、事故発生とし、再度両方の書き込みを行わせる。
【００６４】
（４）ＲＦＩＤのタグのＩＤ番号とカートリッジ（記録媒体でも可）のＩＤ番号をＲＦＩＤに書き込んでおき、それらをリンクさせてセキュリティを調べることで、記録媒体の記録内容の改竄を防止することができる。
【００６５】
（５）さらに、ハードウエア（記録再生装置）のＩＤ番号をＲＦＩＤに書き込んでおき、上記（４）に加えて、ハードウエアのＩＤ番号とのすべてが一致したとき、記録ができるようにしておく。
【００６６】
（６）エラーレートの情報をＲＦＩＤに書き込んでおく。
記録時にエラーが発生したときの情報をＲＦＩＤに書き込んでおくようにすると、例えば、記録媒体のどの部分の記録時にエラー発生が多いかを後で追跡調査することができ、その原因を解明するのに役立つ。
【００６７】
（７）ローディング（追記）の回数をＲＦＩＤに書き込んでおく。
ライトワンス記録媒体は何回も追記できるものではないので、何回ローディングしたかを書き込んでおくと、以後のローディングの参考にすることができる。
【００６８】
（８）定着回数をＲＦＩＤに書き込んでおく。
ホログラム記録媒体は記録したあと、１回光を記録部分に当てて定着させているが、この定着は記録部分のみに光が当たる（ようにしているが、実際はそのようになる）わけではなく、ランプ光が漏れて記録媒体の全面に広がることとなり、したがって定着回数がある程度を超すと、記録しないようにしている。そのためにこの定着回数を知ることは有効である。
【００６９】
（９）記録媒体の仕様をＲＦＩＤに書き込んでおく。
記録媒体の仕様である、厚さ、記録速度、直径、送りピッチ等をＲＦＩＤに書き込んでおくと、これにより所望の数値がＲＦＩＤから瞬時に得られるので便利である。
【００７０】
（１０）ＲＦＩＤ一般の情報等をＲＦＩＤに書き込んでおく。
ＲＦＩＤのＩＳＯ標準化規格や、各メーカー独自の特徴的な機能などをＲＦＩＤに書き込んでおくと、これにより所望情報がＲＦＩＤから得られるので便利である。
【図面の簡単な説明】
【００７１】
【図１】本発明に係る感光性記録媒体用記録再生装置の追記記録の方法を説明する図で、（イ）〜（ハ）は時間の流れである。
【図２】本発明に係る感光性記録媒体を内蔵したカートリッジの構成を示す分解斜視図である。
【図３】ＲＦＩＤの内部構造とその通信相手である記録再生装置の内部構造を説明するための概念斜視図（ａ）とブロック図（ｂ）を示している。
【図４】ホログラム記録媒体を内部に収納して記録再生を行う記録再生装置の１例を示す斜視図。
【図５】記録再生装置の内部構成を示す概略図である。
【図６】装置内に漏入光があるときシャッタを開かないシステムのフローチャートである。
【図７】カートリッジを記録再生装置に挿入してから記録再生装置が記録を開始するまでの従来装置の流れを説明するフローチャートである。
【図８】第１の記録方法（事前書き込み方法）方法を説明する図である。
【図９】第２の記録方法（事後書き込み方法）方法を説明する図である。
【符号の説明】
【００７２】
２  感光性記録媒体用カートリッジ
４  感光性記録媒体（特に、ホログラム記録媒体）
１０  記録再生装置
１１  カートリッジ本体
１３  シャッタ
７８  ロック解除機構
８０  シャッタ開放機構
８１  ＲＦＩＤ
１００  ＲＦＩＤ記録再生装置
１０１  ＲＦ（無線周波数）回路
１０２  変調回路
１０３  復調回路
１０４  電源回路
１０５  ＣＰＵ
１０６  メモリ
１０７  ディスプレー
１０８  入力装置
１１０  アンテナ
２０１  ＲＦ（無線周波数）回路
２０２  変調回路
２０３  復調回路
２０４  電源回路
２０５  ＣＰＵ
２０６  メモリ
２１０  アンテナ
Ｒ１  書き込み予定位置のアドレス格納メモリ（第１メモリ）
Ｒ２  書き込み完了位置のアドレス格納メモリ（第２メモリ）
Ｒ３  前回記録された記録位置のアドレス格納メモリ（第３メモリ）
【図１】
0004429245.tif 000002
【図２】
0004429245.tif 000003
【図３】
0004429245.tif 000004
【図４】
0004429245.tif 000005
【図５】
0004429245.tif 000006
【図６】
0004429245.tif 000007
【図７】
0004429245.tif 000008
【図８】
0004429245.tif 000009
【図９】
0004429245.tif 000010